(57)【要約】【課題】本考案は、作業環境を改善し得る新規なパッド印刷機を提供することを目的とする。【解決手段】  印版２２に充填されたインキＩをパッド２４に付着させた後、前記パッド２４をワーク設置台２３に向かって進行させ、前記パッド２４に付着させたインキＩを前記ワーク設置台２３に設置されたワークＷに転写するパッド印刷機１において、前記ワーク設置台２３から前記印版２２に向かう空気の流れを形成する換気装置３を設ける。【選択図】図１
0003205342.tif 000002
【実用新案登録請求の範囲】
【請求項１】
印版に充填されたインキをパッドに付着させた後、前記パッドをワーク設置台に向かって進行させ、前記パッドに付着させたインキを前記ワーク設置台に設置されたワークに転写するパッド印刷機であって、
前記ワーク設置台から前記印版に向かう空気の流れを形成する換気装置を具備してなることを特徴とするパッド印刷機。
【請求項２】
請求項１に記載のパッド印刷機において、
更に、一対の壁部材が、前記パッドの進行方向を挟むようにして、前記ワーク設置台及び前記印版の両サイドに配されてなるパッド印刷機。
【請求項３】
請求項１又は２に記載のパッド印刷機において、
更に、吸着装置が、前記換気装置によって形成された空気の流れにおける前記印版の存する位置より下流側に配されてなるパッド印刷機。
【考案の詳細な説明】
【技術分野】
【０００１】
本考案は、パッド印刷機に関する。
【背景技術】
【０００２】
印版に充填されたインキをパッドに付着させた後、前記パッドをワーク設置台に向かって進行させ、前記パッドに付着させたインキを前記ワーク設置台に設置されたワークに転写するパッド印刷機には、「オープンタイプ（インキ皿タイプ）」のパッド印刷機（例えば、下記特許文献１参照。）と、「クローズタイプ（インキポットタイプ）」のパッド印刷機（例えば、下記特許文献２参照。）と、の二種類がある。
【先行技術文献】
【特許文献】
【０００３】
【特許文献１】特開平８‐１８３１６４号公報
【特許文献２】特開２００１‐６２９９９号公報
【考案の概要】
【考案が解決しようとする課題】
【０００４】
前記オープンタイプのパッド印刷機は、インキ皿に存するインキを隣接する印版に流し込み、余剰分をブレードにて掻き取ることによって、前記印版にインキが充填される仕組みとなされている。そして、前記オープンタイプのパッド印刷機は、前記インキ皿が開放されているため、前記インキ皿に存するインキに含まれる溶剤の揮発による臭気が生じていた。
【０００５】
一方、前記クローズタイプのパッド印刷機は、印版上に下面が開口されたインキポットが載置されており、前記印版または前記インキポットのいずれか一方を水平移動させることにより前記インキポット内に貯留したインキが、前記印版に充填される仕組みとなされている。即ち、前記クローズタイプのパッド印刷機は、前記インキポッドが前記印版によって閉じられていることから、前記インキポットに存するインキが外気に触れることがない。そのため、前記クローズタイプのパッド印刷機は、インキに含まれる溶剤の揮発が抑えられるため、前記オープンタイプのパッド印刷機と比較して臭気の発生が低減される。
【０００６】
しかしながら、前記クローズタイプのパッド印刷機においても、前記印版に充填されたインキやパッドに付着させたインキから溶剤が揮発するため、やはり微量ながらも臭気の発生が生じていた。
【０００７】
本考案は、前記技術的課題に鑑みて完成されたものであり、作業環境を改善し得る新規なパッド印刷機を提供することを目的とする。
【課題を解決するための手段】
【０００８】
前記技術的課題を解決する本考案のパッド印刷機は、印版に充填されたインキをパッドに付着させた後、前記パッドをワーク設置台に向かって進行させ、前記パッドに付着させたインキを前記ワーク設置台に設置されたワークに転写するパッド印刷機であって、前記ワーク設置台から前記印版に向かう空気の流れを形成する換気装置を具備してなることを特徴とする（以下、「本考案印刷機」と称する。）。
【０００９】
本考案印刷機においては、更に、一対の壁部材が、前記パッドの進行方向を挟むようにして、前記ワーク設置台及び前記印版の両サイドに配されてなるものが好ましい態様となる。
【００１０】
本考案印刷機においては、更に、吸着装置が、前記換気装置によって形成された空気の流れにおける前記印版の存する位置より下流側に配されてなるものが好ましい態様となる。
【考案の効果】
【００１１】
本考案によれば、作業環境を改善することができる。
【図面の簡単な説明】
【００１２】
【図１】図１は、実施形態１に係る本考案装置を一部透過状態で示す斜視図である。
【図２】図２は、前記本考案装置を一部断面状態で示す側面図である。
【図３】図３は、前記本考案装置における印版へのインキの充填工程を示す側面図である。
【図４】図４は、前記本考案装置におけるパッドへのインキの付着工程を示す側面図である。
【図５】図５は、前記本考案装置におけるパッドに付着させたインキのワークへの転写工程を示す側面図である。
【図６】図６は、前記換気装置の作動によって空気の流れが形成された様子を示す側面図である。
【図７】図７は、実施形態２に係る本考案装置を一部透過状態で示す斜視図である。
【考案を実施するための形態】
【００１３】
以下、本考案を実施するための形態を図面に基づいて説明するが、本考案はこの実施形態に限定されるものではない。
【００１４】
［実施形態１］
＜本考案印刷機１＞
図１及び図２に、実施形態１に係る本考案印刷機１を示す。本実施形態に係る本考案印刷機１は、市販のオープンタイプのパッド印刷機本体（ナビタス株式会社製  Ｔ‐５ＪＢ型パッド印刷機）２に、換気装置３を取り付けたものである。
【００１５】
‐パッド印刷機本体２‐
前記パッド印刷機本体２は、インキ皿２１と、印版２２と、ワーク設置台２３と、パッド２４と、を具備する。なお、説明の便宜上、前記パッド印刷機本体２における前記ワーク設置台２３の存する側を前方（前）、前記インキ皿２１の存する側を後方（後）と称する。
【００１６】
前記インキ皿２１は、インキＩが溜められるインキ溜め２１１と、前記インキ溜め２１１の前方に隣接配置された印版収容部２１２と、を具備してなり、前記印版２２は、印刷パターン溝２２１を上方向に向けた状態で前記印版収容部２１２に収容される。
【００１７】
前記ワーク設置台２３は、ワークＷを保持するためのホルダである。前記ワーク設置台２３は、前記インキ皿２１の前方に配されている。
【００１８】
前記パッド２４は、前記印版２２及び前記ワーク設置台２３の上部空間を前後動する進退装置（図示せず）に対して取り付けられたシリンダＳのロッドＲの先端に取り付けられている。又、前記シリンダＳのロッドＲは、垂直方向に沿って進退可能となされている。即ち、前記パッド２４は、前記進退装置の駆動によって、前記印版２２と前記ワーク設置台２３との間を前後動可能となされている。又、前記パッド２４は、前記シリンダＳの駆動によって、前記印版２２又は前記ワーク設置台２３に向かって上下動可能となされている。
【００１９】
‐換気装置３‐
前記換気装置３は、前記ワーク設置台２３から前記印版２２に向かう空気の流れ（前方から後方に向かう空気の流れ）を形成するものである。本実施形態において、前記換気装置３は、前記インキ皿２１の後方下部に配されたファン３１と、前記ファン３１に連結されたダクト３２と、を具備する。
【００２０】
前記構成を有する本考案印刷機１は、前記印版２２に充填されたインキＩを前記パッド２４に付着させた後、前記パッド２４を前記ワーク設置台２３に向かって進行させ、前記パッド２４に付着させたインキＩを前記ワーク設置台２３に設置されたワークＷに転写する。
【００２１】
本実施形態において、前記印版２２へのインキＩの充填は、図３に示すように、前記インキ皿２１のインキ溜め２１１に溜められたインキＩを、前後動可能となされたインキプレートＩＰによって前記印版２２の表面に塗布した後、前後動可能となされたドクターブレードＤＢによって余剰分を掻き取ることによって行われる。これにより、前記印版２２の印刷パターン溝２２１にインキＩが充填される。
【００２２】
又、前記パッド２４へのインキＩの付着は、図４に示すように、前記進退装置の駆動によって前記パッド２４を前記印版２２の上部空間に移動させた後、前記シリンダＳの駆動によって前記パッド２４を下降させ、前記印版２２に前記パッド２４を接触させることによって行われる。なお、前記パッド２４にインキＩを付着させた後は、前記シリンダＳの駆動によって前記パッド２４を上昇させる。
【００２３】
更に、前記パッド２４に付着させたインキＩの前記ワーク設置台２３に設置されたワークＷへの転写は、図５に示すように、前記進退装置の駆動によって前記パッド２４を前記ワークＷ上部空間に移動させた後、前記シリンダＳの駆動によって前記パッド２４を下降させ、前記ワークＷに前記パッド２４を接触させることによって行われる。なお、前記ワークＷにインキＩを転写させた後は、前記シリンダＳの駆動によって前記パッド２４を上昇させる。
【００２４】
そして、本考案印刷機１においては、前記各工程の実行中、図６に示すように、前記換気装置３を作動させて、前記ワーク設置台２３から前記印版２２に向かう空気の流れを形成する。本実施形態においては、前記換気装置３のファン３１を回転させることによって、前記ダクト３２に向かって空気を押し込み、もって、前記ワーク設置台２３から前記印版２２に向かう空気の流れを形成する。
【００２５】
前記ワーク設置台２３から前記印版２２に向かう空気の流れが形成されると、前記インキ皿２１のインキ溜め２１１に溜められたインキＩから揮発した溶剤は、その空気の流れに乗って後方に向かい、最終的に前記ファン３１及び前記ダクト３２を通じて排出される。
【００２６】
即ち、本考案印刷機１によれば、本考案印刷機１の前方においてワークＷの取り換え等の作業を行う作業者に揮発した溶剤が向かわなくなるため、作業者が溶剤に起因する臭気を感じなくなり、もって作業環境が改善される。
【００２７】
なお、本実施形態においては、前記パッド印刷機本体２につき、オープンタイプのものを用いたが、前記パッド印刷機本体２としては、オープンタイプのものに限られず、クローズタイプのものであっても良い。
【００２８】
又、本実施形態においては、前記換気装置３として、前記ファン３１と、前記ダクト３２とを具備するものを用い、前記ファン３１を回転させることによって、前記ダクト３２に向かって空気を押し込み、もって、前記ワーク設置台２３から前記印版２２に向かう空気の流れを形成する仕組みとしたが、前記換気装置３としては、例えば、前記ダクト３２の下流から空気を吸引する仕組みとしても良い。
【００２９】
［実施形態２］
＜本考案印刷機１＞
図７に、実施形態２に係る本考案印刷機１を示す。本実施形態に係る本考案印刷機１は、一対の壁部材４（４Ｒ、４Ｌ）と、吸着装置５と、を具備している点以外は、前記実施形態１において用いた本考案印刷機１と同様である。
【００３０】
‐壁部材４‐
前記壁部材４（４Ｒ、４Ｌ）は、前記パッド２４の進行方向を挟むようにして、前記ワーク設置台２３及び前記印版２２の両サイドに配される。本実施形態において、前記壁部材４は、二枚のプラスチックシート４１各々の周縁に帯状のマグネットシート４２を貼着させた構造を有してなり、前記マグネットシート４２の磁力によって、前記パッド印刷機本体２の鉄製フレームに張り付けられることによって、前記ワーク設置台２３と前記印版２２の両サイドに配されている。
【００３１】
‐吸着装置５‐
前記吸着装置５は、前記換気装置３によって形成された空気の流れにおける前記印版２２の存する位置より下流側に配される。本実施形態において、前記吸着装置５は、前記ダクト３２の管路中に配された容器５１と、前記容器５１内に収容された吸着材５２と、を具備する。前記吸着材５２としては、活性炭やシリカゲル等の吸着担体が好適に用いられる。
【００３２】
前記構成を有する本考案印刷機１は、前記壁部材４（４Ｒ、４Ｌ）によって、前記ワーク設置台２３及び前記印版２２の両サイドが囲まれているため、前記換気装置３によって形成された空気の流れが前後方向に向かい易くなる。そのため、より一層、本考案印刷機１の前方においてワークＷの取り換え等の作業を行う作業者に揮発した溶剤が向かわなくなる。
【００３３】
又、前記ダクト３２を通じて排出される空気の流れに含まれる溶剤が、前記吸着装置５によって吸着されるため、溶剤の大気放出を抑制することができる。
【００３４】
その余は、前記実施形態１と同様のため、繰り返しの説明を避けるべく、ここでは説明を省略する。
【００３５】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【産業上の利用可能性】
【００３６】
前記本考案印刷機は、ワークに絵付けを施すためのパッド印刷機として好適に用いられる。
【符号の説明】
【００３７】
１  本考案印刷機（パッド印刷機）
２  パッド印刷機本体
２１  インキ皿
２２  印版
２３  ワーク設置台
２４  パッド
３  換気装置
３１  ファン
３２  ダクト
４  壁部材
４１  プラスチックシート
４２  マグネットシート
５  吸着装置
５１  容器
５２  吸着材
Ｉ  インキ
Ｗ  ワーク
【図１】
0003205342.tif 000003
【図２】
0003205342.tif 000004
【図３】
0003205342.tif 000005
【図４】
0003205342.tif 000006
【図５】
0003205342.tif 000007
【図６】
0003205342.tif 000008
【図７】
0003205342.tif 000009